(57)【要約】【課題】簡単な構成で必要な強度を確実に確保することができるバヨネット結合するマウント構造を提供する。【解決手段】開口部１２ｄの縁部に沿って３つの本体側バヨネット爪１２ａ，１２ｂ，１２ｃが形成され、３つの本体側バヨネット爪の各裏面側にはアクセサリ側バヨネット爪２２ａ，２２ｂ，２２ｃを受けるための第１受け部１２ｘａ，１２ｘｂ，１２ｘｃ，１２ｘｄが形成されたマウントリング１２と、マウントリングをネジ固定するためのネジ部が設けられネジ部が開口部１１ａ外側の４ケ所で第１仮想四角形Ａを形成する本体１１とを具備し、第１受け部は、各本体側バヨネット爪に少なくとも１つ形成され、全体として第２仮想四角形Ｂを形成する４ケ所に形成され、本体側バヨネット爪がアクセサリ側バヨネット爪とバヨネット結合した際、第２仮想四角形は、第１仮想四角形の内側に位置している。【選択図】図５
2020101612.tif 000002
【特許請求の範囲】
【請求項１】
開口部の縁部に沿って３つの本体側バヨネット爪が形成され、上記３つの本体側バヨネット爪の各裏面側にはアクセサリ側バヨネット爪を受けるための第１受け部が形成されたマウントリングと、
上記マウントリングをネジ固定するためのネジ部が設けられ、上記ネジ部が上記開口部外側の４ケ所で第１仮想四角形を形成する本体と、
を具備し、
上記第１受け部は、上記各本体側バヨネット爪に少なくとも１つ形成され、全体として第２仮想四角形を形成する４ケ所に形成され、
上記本体側バヨネット爪が上記アクセサリ側バヨネット爪とバヨネット結合した際、上記第２仮想四角形は、上記第１仮想四角形の内側に位置していることを特徴とするバヨネット結合するマウント構造。
【請求項２】
上記第１の仮想四角形を形成する４ケ所のネジ部の位置は、所定の本体側バヨネット爪を挟んだ第１及び第２のネジ止め位置と、上記所定の本体側バヨネット爪と対向する開口縁部側であって本体側バヨネット爪を１つも挟まない第３及び第４のネジ止め位置と、であることを特徴とする請求項１記載のバヨネット結合するマウント構造。
【請求項３】
上記本体側バヨネット爪が上記アクセサリ側バヨネット爪とバヨネット結合した際、上記本体側バヨネット爪のうちの所定の１つと上記第１仮想四角形の外側において上記アクセサリ側バヨネット爪のうちの所定の１つとが対向する位置には第２受け部が形成されており、
上記バヨネット結合した際、上記第２受け部と上記アクセサリ側バヨネット爪のうちの所定の１つとは所定の距離だけ離れていることを特徴とする請求項１記載のバヨネット結合するマウント構造。
【請求項４】
上記所定の距離は、上記本体側バヨネット爪と上記アクセサリ側バヨネット爪とがバヨネット結合した際の、当該本体側バヨネット爪と当該アクセサリ側バヨネット爪との間に生じるガタであることを特徴とする請求項３記載のバヨネット結合するマウント構造。
【請求項５】
上記第１受け部には、上記アクセサリ側バヨネット爪を受ける際に当該アクセサリ側バヨネット爪と接触する突状部が形成されていることを特徴とする請求項１記載のバヨネット結合するマウント構造。
【請求項６】
上記アクセサリは、レンズ鏡筒であることを特徴とする請求項１記載のバヨネット結合するマウント構造。
【発明の詳細な説明】
【技術分野】
【０００１】
この発明は、例えばレンズ交換式撮像装置等に適用され、撮像装置本体とレンズ鏡筒若しくは所定のアクセサリ機器等との間をバヨネット結合するマウント構造に関するものである。
【背景技術】
【０００２】
従来、撮像光学系により結像された光学像を撮像素子等を用いて順次画像信号に光電変換し、取得された画像信号に基く画像を表示装置を用いて順次連続的に表示すると共に、撮像指示信号が発生したときには、その指示信号の発生時点の画像信号を所定の形態の画像データとして記録し、記録済み画像データに基く画像を表示し得るように構成されたデジタルカメラ等の撮像装置が一般に実用化されている。
【０００３】
この種の従来の撮像装置においては、例えば撮像光学系を有するレンズ鏡筒を撮像装置本体に対して着脱自在に構成したいわゆるレンズ交換式撮像装置が広く普及している。また、この種の形態のレンズ交換式撮像装置においては、撮像装置本体とレンズ鏡筒若しくは所定のアクセサリ機器等との間を結合するためのマウント構造について、例えば実公昭６１−２４９８２号公報，特開２００７−９３９５６号公報等によって、種々の提案がなされており、また実用化されている。
【０００４】
上記実公昭６１−２４９８２号公報，上記特開２００７−９３９５６号公報等によって開示される従来構成のマウント構造は、撮像装置本体とレンズ鏡筒若しくは所定のアクセサリ機器等との間をバヨネット結合する形態が適用されている。
【０００５】
この場合において、例えば本体側マウント部材が３つのバヨネット爪を有して構成されている場合、レンズ側マウント部材も、本体側の３つのバヨネット爪に対応する３つのバヨネット爪を備えて構成される。そして、３つの本体側バヨネット爪のそれぞれには、本体側マウント部材の３つのバヨネット爪とレンズ側マウント部材の３つのバヨネット爪とがバヨネット結合するときに、３つのレンズ側バヨネット爪をそれぞれ支持するための支持部を設けて構成される形態が一般である。この構成においては、３つの本体側バヨネット爪の各支持部は、それぞれが３つのレンズ側バヨネット爪の一部に接触することで、当該レンズ側バヨネット爪を支持することになる。
【０００６】
このような従来構成のマウント構造において、本体側バヨネット爪とレンズ側バヨネット爪とをバヨネット結合させて、撮像装置本体に対してレンズ鏡筒を装着すると、当該レンズ鏡筒は、主に上記３つの支持部において支持される。このとき、（３つの本体側バヨネット爪のそれぞれに設けられた）上記３つの支持部は、撮像装置本体に装着されたレンズ鏡筒の光軸の位置決めを行なう役目を有している。
【０００７】
即ち、上記３つの支持部を含む支持面は、本体側マウント部材のマウント面に略平行な面となっている。この本体側マウント部材のマウント面は、撮像装置本体の内部に設けられる撮像素子の受光面と略平行に設定されるように構成される。
【０００８】
したがって、上記３つの支持部を含む支持面は、撮像装置本体に装着されたレンズ鏡筒の光軸に対して略直交する面に対し平行となるように設定されるのが望ましい。この構成により、撮像装置本体に装着されるレンズ鏡筒の光軸は、撮像素子の受光面に対し略直交する方向となるように位置決めすることができる。
【０００９】
一方、従来の撮像装置等に適用されるマウント構造において、本体側マウント部材は、例えば金属等の板状部材を加工して略円環形状に形成され、当該本体側マウント部材は、撮像装置本体の前面に対し、複数（例えば四本）のビス等を用いて固定される形態となっているものが一般的である。
【先行技術文献】
【特許文献】
【００１０】
【特許文献１】実公昭６１−２４９８２号公報
【特許文献２】特開２００７−９３９５６号公報
【発明の概要】
【発明が解決しようとする課題】
【００１１】
ところが、上記実公昭６１−２４９８２号公報，上記特開２００７−９３９５６号公報等によって開示される従来構成のバヨネット結合するマウント構造において、例えば３つの本体側バヨネット爪と３つのレンズ側バヨネット爪とを具備する構成とした場合、撮像装置本体にレンズ鏡筒を装着したとき、レンズ鏡筒は３つの支持部によって支持されることになる。この場合、当該３つの支持部には、レンズ鏡筒の重量負荷が集中することになる。
【００１２】
上述したように、本体側マウント部材は、略円環形状の板状部材からなり、これを複数のビス等を用いて装置本体の前面に固定する構造とされている。このことから、本体側マウント部材は、例えばビス固定部の近傍部位と、ビス固定部から離れた部位とでは、強度的に差異が生じることになる。
【００１３】
したがって、本体側バヨネット爪に設けられる３つの支持部の配置形態によっては、本体側バヨネット爪とレンズ側バヨネット爪とをバヨネット結合したときに、本体側バヨネット爪の支持部がレンズ側バヨネット爪に接触して、レンズ鏡筒を支持する力量が付与されると、本体側バヨネット爪を変形させてしまう可能性がある。
【００１４】
例えば、図１０は、従来構成のバヨネット結合するマウント構造の概念図である。ここで、図１０は、本体側マウント部材１１２（実線を用いて表示している）に対しレンズ側マウント部材１２２（点線を用いて外罫線のみ表示している）がバヨネット結合している際の状態を、本体側マウント部材１１２の裏面側から示している。
【００１５】
この場合において、本体側マウント部材１１２は、開口１１２ｄを有する略円環形状の板状部材である。この本体側マウント部材１１２は、開口１１２ｄの内縁部に沿って、所定の間隔を置いて、開口１１２ｄの径方向の内向きに突出するように形成された３つの本体側バヨネット爪１１２ａ，１１２ｂ，１１２ｃを有している。
【００１６】
そして、これら３つの本体側バヨネット爪１１２ａ，１１２ｂ，１１２ｃのそれぞれの裏面側には、レンズ側バヨネット爪１２２ａ，１２２ｂ，１２２ｃのそれぞれを受ける３つの受け部（支持部）１１２ｘａ，１１２ｘｂ，１１２ｘｃが形成されている。
【００１７】
また、本体側マウント部材１１２は、４つのビス孔１１２ｈａ，１１２ｈｂ，１１２ｈｃ，１１２ｈｄにおいて、ビス等（不図示）を用いて撮像装置本体（不図示）の前面に固定される構成となっている。
【００１８】
ここで、上記３つの受け部１１２ｘａ，１１２ｘｂ，１１２ｘｃのうち、受け部１１２ｘａはビス孔１１２ｈｂ（固定部位）の近傍に配置されている。また、受け部１１２ｘｃはビス孔１１２ｈｄ（固定部位）の近傍に配置されている。一方、受け部１１２ｘｂは、４つのビス孔（固定部位）のいずれからも離れた位置に配置されている。
【００１９】
本体側バヨネット爪に設けられる３つの受け部１１２ｘａ，１１２ｘｂ，１１２ｘｃを、このような配置形態とした場合、当該３つの受け部１１２ｘａ，１１２ｘｂ，１１２ｘｃのうち（ビス孔（固定部位）から離れた位置にある）受け部１１２ｘｂを含む本体側バヨネット爪１１２ｂは、他の２つの（ビス孔（固定部位）近傍の位置にある）受け部１１２ｘａ，１１２ｘｃをそれぞれ含む本体側バヨネット爪１１２ａ，１１２ｃに比べて、強度的に弱い傾向にあることが判っている。
【００２０】
したがって、このような構成のマウント構造の場合、装着されたレンズ鏡筒の重量負荷は、強度の弱い部分（図１０の構成例の場合は本体側バヨネット爪１１２ｂの受け部１１２ｘｂ）に集中してしまう。このことから、当該部位（受け部１１２ｘｂ）が変形してしまう可能性がある。
【００２１】
このようにして本体側バヨネット爪が変形してしまうと、３つの支持部を含む支持面によって位置決めされるレンズ鏡筒の光軸は、撮像装置本体側の撮像素子の受光面に対してズレてしまう（傾いてしまう）という問題が生じる。
【００２２】
近年、レンズ交換式撮像装置において適用される交換レンズ鏡筒は、より高性能化が進んでおり、全体的に大型化する傾向がある。そのために、レンズ鏡筒単体の重量が増加する傾向が見られる。したがって、このことから本体側マウント部材の強度を確保することは重要な設計上の要求とされている。
【００２３】
本発明は、上述した点に鑑みてなされたものであって、その目的とするところは、例えばレンズ交換式撮像装置等に適用され、撮像装置本体とレンズ鏡筒若しくは所定のアクセサリ機器等との間をバヨネット結合するマウント構造において、簡単な構成で必要な強度を確実に確保することができるバヨネット結合するマウント構造を提供することである。
【課題を解決するための手段】
【００２４】
上記目的を達成するために、本発明の一態様のバヨネット結合するマウント構造は、開口部の縁部に沿って３つの本体側バヨネット爪が形成され、上記３つの本体側バヨネット爪の各裏面側にはアクセサリ側バヨネット爪を受けるための第１受け部が形成されたマウントリングと、上記マウントリングをネジ固定するためのネジ部が設けられ、上記ネジ部が上記開口部外側の４ケ所で第１仮想四角形を形成する本体と、を具備し、上記第１受け部は、上記各本体側バヨネット爪に少なくとも１つ形成され、全体として第２仮想四角形を形成する４ケ所に形成され、上記本体側バヨネット爪が上記アクセサリ側バヨネット爪とバヨネット結合した際、上記第２仮想四角形は、上記第１仮想四角形の内側に位置している。
【発明の効果】
【００２５】
本発明によれば、例えばレンズ交換式撮像装置等に適用され、撮像装置本体とレンズ鏡筒若しくは所定のアクセサリ機器等との間をバヨネット結合するマウント構造において、簡単な構成で必要な強度を確実に確保することができるバヨネット結合するマウント構造を提供することができる。
【図面の簡単な説明】
【００２６】
【図１】本発明の一実施形態のバヨネット結合するマウント構造を具備する撮像装置を示す概略斜視図
【図２】図１の撮像装置におけるマウント構造の一部を構成する本体側マウントリングのみを取り出して示す外観斜視図
【図３】図２の本体側マウントリング（の裏面側）の平面図
【図４】図１の撮像装置におけるマウント構造において、本体側マウントリングとレンズ側マウントリングとがバヨネット結合している状態を示す要部拡大斜視図
【図５】図４の状態の平面図
【図６】図５の［６］−［６］線に沿う要部拡大断面図
【図７】図５の［７］−［７］線に沿う要部拡大断面図
【図８】図５の［８］−［８］線に沿う要部拡大断面図
【図９】図１の撮像装置におけるマウント構造の第１受け部の配置構成を説明する平面図
【図１０】従来構成のバヨネット結合するマウント構造を示す概念図
【発明を実施するための形態】
【００２７】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２８】
本発明の一実施形態は、例えば撮像光学系により結像された光学像を、例えばＣＣＤ（Charge Coupled Device；電荷結合素子）型イメージセンサーやＣＭＯＳ（Complementary Metal Oxide Semiconductor；相補性金属酸化膜半導体）型イメージセンサー等の光電変換素子等（以下、撮像素子という）を用いて順次光電変換し、これにより取得された画像信号を所定の形態の画像データ（例えば静止画像又は動画像を表わすデジタル画像データ）として記憶媒体に記録すると共に、この記憶媒体に記録されたデジタル画像データに基いて静止画像又は動画像を再生表示する画像表示装置（例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等）を備えて構成された撮像装置（例えばデジタルカメラやビデオカメラ等）を例示するものである。
【００２９】
そして、この場合において、当該撮像装置は、撮像装置本体に対してレンズ鏡筒が着脱自在に構成される形態のいわゆるレンズ交換式撮像装置である。
【００３０】
なお、本実施形態においては、撮像装置の使用時に被写体に対向する面を当該撮像装置の前面というものとする。撮像装置の使用時に使用者が対面する面を当該撮像装置の背面というものとする。また、操作部材のうちシャッターリリースボタンが配設されている面を上面というものとする。そして、撮像装置の上面に対向する面を底面というものとする。さらに、撮像装置の通常の使用状態で両側に配置される面を左側面及び右側面というものとする。この場合における左右の判別は、被写体側から撮像装置の前面に向かって見たときの左側又は右側をそれぞれ左又は右として区別する。
【００３１】
また、本実施形態において、撮像光学系の光軸を符号Ｏで表す。この光軸Ｏに沿う方向において、撮像装置の前面に対向する被写体のある側を当該撮像装置の前方というものとし、撮像装置の背面側に対向する使用者の側を撮像装置の後方というものとする。
【００３２】
［一実施形態］
まず、本発明の一実施形態のバヨネット結合するマウント構造を備えた撮像装置の概略構成を、以下に説明する。図１は、本発明の一実施形態のバヨネット結合するマウント構造を具備する撮像装置を示す概略斜視図である。なお、図１においては、本実施形態のバヨネット結合方式のマウント構造を構成する構成部材を明示するために、撮像装置本体１０からレンズ鏡筒２０を取り外した状態を示している。
【００３３】
本実施形態の撮像装置１は、撮像装置本体１０とレンズ鏡筒２０とによって構成されている。ここで、撮像装置本体１０は、本実施形態の撮像装置１の主要構成部材、例えば撮像素子１４等を内部に備え、外面には複数の操作部材（１５，１６，１７）等を備え、後述するマウント構造（１２，２２）を介してレンズ鏡筒２０を前面に着脱自在に配設し得るように構成されるボディ本体１１によって主に構成される筐体ユニットである。また、レンズ鏡筒２０は、撮像光学系２４等を内部に備え、後述するマウント構造（１２，２２）を介して撮像装置本体１０の前面に対して着脱自在に配設される構成ユニットである。
【００３４】
撮像装置本体１０は、ボディ本体１１と、本体側マウント部材である本体側マウントリング１２と、撮像素子１４等の各種の電気部品等と、複数の操作部材（１５，１６，１７）と、グリップ部１８等によって、主に構成されている。
【００３５】
ボディ本体１１は、撮像装置本体１０の基本構成部材となる筐体である。ボディ本体１１の内部には、撮像素子１４等の各種の電気部品等（詳細不図示）が収納されている。また、ボディ本体１１の外面には、複数の操作部材（１５，１６，１７）が各所定の位置に配設されている。そして、ボディ本体１１の左側面寄りの部位には、内部にバッテリ（不図示）等が収納され、当該撮像装置１の使用時に使用者が把持するグリップ部１８が設けられている。
【００３６】
複数の操作部材としては、例えばロック解除ボタン１５と、シャッターリリースボタン１６と、その他複数の操作部材１７等がある。
【００３７】
ロック解除ボタン１５は、本実施形態のマウント構造（１２，２２）を用いて、当該撮像装置本体１０の前面に装着された状態のレンズ鏡筒２０を取り外す際に操作する操作部材である。このロック解除ボタン１５を操作することにより、撮像装置本体１０とレンズ鏡筒２０との間の結合をロックするロック機構の解除を行うことができる。
【００３８】
シャッターリリースボタン１６は、当該撮像装置１を用いて撮影動作を行う際に操作する操作部材である。
【００３９】
また、複数の操作部材１７は、例えば動作モード切換ダイヤル，パラメータ設定ダイヤル，所定の機能が割り当てられた押しボタン，電源オンオフレバー等、各種の操作部材が含まれる。なお、これらの操作部材については、本発明に直接関連しない部分であるので、その詳細な説明は省略し、図１において代表符号１７として一括に示している。
【００４０】
また、ボディ本体１１の内部に設けられる各種の電気部品などについても、本発明に直接関連しない部分であるので、その図示及び詳細説明は省略する。
【００４１】
なお、この場合において、撮像素子１４については、図１に示すように、ボディ本体１１の開口部１１ａから露呈する位置に配設されている。この撮像素子１４は、撮像装置本体１０の前面に固定される本体側マウントリング１２のマウント面と略平行に配設されている。この状態で、撮像素子１４の受光面は、前方に向けて配設されている。
【００４２】
本体側マウント部材である本体側マウントリング１２は、本実施形態のバヨネット結合方式のマウント構造の一部を構成する構成部材である。この本体側マウントリング１２は、撮像装置本体１０の前面の略中央部分に形成される開口部１１ａの周縁に固設されている。
【００４３】
ここで、本体側マウントリング１２の構成について、図１に加えて図２，図３を用いて、さらに詳しく説明する。図２は、本実施形態のマウント構造の一部を構成する本体側マウントリングのみを取り出して示す外観斜視図である。図３は、当該本体側マウントリングの平面図である。なお、図２，図３は、本体側マウントリングの裏面側、即ち図１の矢印［２］方向から見た側を示している。
【００４４】
図２，図３等に示すように、本体側マウントリング１２は、開口１２ｄ（開口部）を有する略円環形状の略板状部材によって形成されている。本体側マウントリング１２には、開口１２ｄの内周縁部に沿って、所定の間隔を置いて、３つの本体側バヨネット爪１２ａ，１２ｂ，１２ｃが形成されている。これら各本体側バヨネット爪１２ａ，１２ｂ，１２ｃは、開口１２ｄの径方向の内向きに突出するように形成されている。
【００４５】
また、本体側マウントリング１２の円環部分には、４本の固定用ビス１３ａ，１３ｂ，１３ｃ，１３ｄ（図１参照）をそれぞれ挿通させるための貫通孔であるビス孔１２ｈａ，１２ｈｂ，１２ｈｃ，１２ｈｄが設けられている。これらのビス孔１２ｈａ，１２ｈｂ，１２ｈｃ，１２ｈｄは、本体側マウントリング１２の円環部分の周方向に所定の間隔を置いた所定の位置にそれぞれ設けられている。そして、これらのビス孔１２ｈａ，１２ｈｂ，１２ｈｃ，１２ｈｄは、ボディ本体１１の前面に設けられる４つのネジ部（図１参照）に対応する位置に形成されている。
【００４６】
ここで、ボディ本体１１の４つのネジ部は、図１において４本の固定用ビス１３ａ，１３ｂ，１３ｃ，１３ｄが設けられている位置である。即ち、当該４つのネジ部は、撮像装置本体１０のボディ本体１１の前面の開口部１１ａの外周縁の近傍に４箇所設けられている。そして、当該４つのネジ部には、４本の固定用ビス１３ａ，１３ｂ，１３ｃ，１３ｄのそれぞれが、本体側マウントリング１２を挟んで螺合する。この場合において、４本の固定用ビス１３ａ，１３ｂ，１３ｃ，１３ｄのそれぞれは、本体側マウントリング１２の各ビス孔１２ｈａ，１２ｈｂ，１２ｈｃ，１２ｈｄのそれぞれを挿通した後、ボディ本体１１の４つのネジ部に螺合する。これにより、本体側マウントリング１２は、ボディ本体１１の前面の所定の位置にネジ固定される。
【００４７】
ここで、ボディ本体１１の４箇所のネジ部を直線で結んで形成される四角形を第１仮想四角形Ａというものとする。なお、４箇所のネジ部はボディ本体１１に設けられるものであるが、上述したように、４箇所のネジ部は本体側マウントリング１２の４つのビス孔１２ｈａ，１２ｈｂ，１２ｈｃ，１２ｈｄのそれぞれに対応する位置に形成されている。したがって、本体側マウントリング１２の４つのビス孔１２ｈａ，１２ｈｂ，１２ｈｃ，１２ｈｄを直線で結んで形成される四角形は、上記第１仮想四角形Ａと同じであるといえる。このことから、以下の説明において、第１仮想四角形Ａは、「ボディ本体１１の４箇所のネジ部を直線で結んで形成される四角形」であると共に、「本体側マウントリング１２の４つのビス孔１２ｈａ，１２ｈｂ，１２ｈｃ，１２ｈｄを直線で結んで形成される四角形」でもあるものとして説明するものとする（図２，図３，図９参照）。
【００４８】
ここで、第１仮想四角形Ａを形成する４箇所のネジ部（４つのビス孔）の位置は、３つの本体側バヨネット爪１２ａ，１２ｂ，１２ｃのうちの所定の本体側バヨネット爪１２ａを挟んだ第１のネジ止め位置（固定用ビス１３ａ，ビス孔１２ｈａに相当する位置）及び第２のネジ止め位置（固定用ビス１３ｂ，ビス孔１２ｈｂに相当する位置）と、当該所定の本体側バヨネット爪１２ａと対向する位置であって開口１２ｄの内縁側、即ち本体側バヨネット爪が存在しない領域を挟む第３のネジ止め位置（固定用ビス１３ｃ，ビス孔１２ｈｃに相当する位置）及び第４のネジ止め位置（固定用ビス１３ｄ，ビス孔１２ｈｄに相当する位置である。なお、ここで換言すると、第３のネジ止め位置及び第４のネジ止め位置は、本体側バヨネット爪を１つも挟まない位置にあるともいえる。
【００４９】
一方、３つの本体側バヨネット爪１２ａ，１２ｂ，１２ｃの各裏面側（図２，図３で示される面側）には、レンズ鏡筒２０のレンズ側マウントリング２２（後述）の３つのレンズ側バヨネット爪２２ａ，２２ｂ，２２ｃ（後述）をそれぞれ支持するための第１支持部である第１受け部（１２ｘａ，１２ｘｂ，１２ｘｃ，１２ｘｄ）がそれぞれに形成されている。これらの第１受け部（１２ｘａ，１２ｘｂ，１２ｘｃ，１２ｘｄ）は、本体側バヨネット爪１２ａ，１２ｂ，１２ｃのそれぞれにおいて、少なくとも１つずつ形成されている。この場合において、本実施形態のマウント構造では、第１受け部（１２ｘａ，１２ｘｂ，１２ｘｃ，１２ｘｄ）は、図２，図３に示すように、全体として第２仮想四角形Ｂを形成する４箇所に形成されているものとする。
【００５０】
具体的には、図２，図３に示すように、第１受け部１２ｘａ，１２ｘｂは本体側バヨネット爪１２ａに設けられている。第１受け部１２ｘｃは、本体側バヨネット爪１２ｃに設けられている。第１受け部１２ｘｄは、本体側バヨネット爪１２ｂに設けられている。
【００５１】
ここで、本体側マウントリング１２（の各本体側バヨネット爪１２ａ，１２ｂ，１２ｃ）とレンズ側マウントリング２２（の各レンズ側バヨネット爪２２ａ，２２ｂ，２２ｃ）とがバヨネット結合したときに、（４箇所の第１受け部（１２ｘａ，１２ｘｂ，１２ｘｃ，１２ｘｄ）で形成される）第２仮想四角形Ｂは、（４箇所のネジ部，４つのビス孔１２ｈａ，１２ｈｂ，１２ｈｃ，１２ｈｄで形成される）第１仮想四角形の内側に位置している。
【００５２】
なお、図２，図３は、本体側マウントリング１２のみを示す図であって、上述したように、本体側マウントリング１２とレンズ側マウントリング２２とがバヨネット結合したときを示しているものではない。したがって、図２，図３に示す第２仮想四角形Ｂは、当該本体側マウントリング１２に対しレンズ側マウントリング２２がバヨネット結合したときを想定して示す想像線である。本体側マウントリング１２とレンズ側マウントリング２２とがバヨネット結合したときの様子は、後述の図４〜図９等に示す通りである。
【００５３】
また、上記各第１受け部（１２ｘａ，１２ｘｂ，１２ｘｃ，１２ｘｄ）には、レンズ側バヨネット爪２２ａ，２２ｂ，２２ｃのそれぞれを支持する際に、当該レンズ側バヨネット爪２２ａ，２２ｂ，２２ｃと接触する突状部が形成されている。
【００５４】
換言すると、本体側バヨネット爪１２ａ，１２ｂ，１２ｃの各第１受け部（１２ｘａ，１２ｘｂ，１２ｘｃ，１２ｘｄ）は、本体側バヨネット爪１２ａ，１２ｂ，１２ｃの表面から突出する形態で形成されている。
【００５５】
そして、この場合において、各第１受け部（１２ｘａ，１２ｘｂ，１２ｘｃ，１２ｘｄ）は、本体側マウントリング１２（の各本体側バヨネット爪）とレンズ側マウントリング２２（の各レンズ側バヨネット爪）とがバヨネット結合したときに、レンズ側バヨネット爪２２ａ，２２ｂ，２２ｃの対向する表面に接触して、各レンズ側バヨネット爪２２ａ，２２ｂ，２２ｃを支持することができるだけの突出量を有している。
【００５６】
一方、本体側マウントリング１２（の各本体側バヨネット爪）とレンズ側マウントリング２２（の各レンズ側バヨネット爪）とがバヨネット結合したときに、３つの本体側バヨネット爪１２ａ，１２ｂ，１２ｃのうちの上記所定の本体側バヨネット爪１２ａ以外の２つの本体側バヨネット爪１２ｂ，１２ｃが、上記第１仮想四角形Ａの領域外（外側）でレンズ側バヨネット爪２２ｂ，２２ｃ（後述）と対向する各位置において、上記本体側バヨネット爪１２ｂ，１２ｃのそれぞれ所定の部位に第２支持部である第２受け部１２ｙが形成されている。
【００５７】
そして、本体側マウントリング１２（の各本体側バヨネット爪）とレンズ側マウントリング２２（の各レンズ側バヨネット爪）とがバヨネット結合したときに、上記各第２受け部１２ｙと各対応するレンズ側バヨネット爪２２ｂ，２２ｃとは、互いに接触しないように、それぞれ所定の距離＝Ｄだけ離れている（図４又は図７，図８の符号Ｄ参照）。
【００５８】
ここで、上記所定の距離Ｄは、本体側バヨネット爪とレンズ側バヨネット爪とがバヨネット結合した際に、本体側バヨネット爪とレンズ側バヨネット爪との間に生じるガタである。例えば、所定の距離Ｄは、具体的には０．１ｍｍ程度である。
【００５９】
図１に戻って、レンズ鏡筒２０は、鏡筒本体２１と、レンズ側マウント部材であるレンズ側マウントリング２２等によって、主に構成されている。
【００６０】
鏡筒本体２１は、レンズ鏡筒２０の基本構成部材となる筐体である。鏡筒本体２１の内部には、複数の光学レンズ等によって構成される撮像光学系２４と、当該撮像光学系２４の駆動機構や絞り機構等の各種機構ユニット（不図示）と、これらの機構ユニットの駆動回路等を構成する各種の電気部品等（不図示）が収納されている。また、鏡筒本体２１の外面には、複数の操作部材（例えばズームリング，フォーカスリング等）が配設されている。なお、これら各種の電気部品や複数の操作部材については、本発明に直接関連しない部分であるので、その詳細な図示及び詳細説明は省略する。
【００６１】
レンズ側マウント部材であるレンズ側マウントリング２２は、本実施形態のバヨネット結合方式のマウント構造の他の一部を構成する構成部材である。このレンズ側マウントリング２２は、レンズ鏡筒２０の後端面に形成される開口部２１ａの周縁に固設されている。
【００６２】
即ち、レンズ側マウントリング２２は、複数（４本）の固定用ビス２３を用いて、鏡筒本体２１の後端面に対してネジ固定されている。そして、レンズ側マウントリング２２には、開口部２１ａの外周縁部に沿って３つのレンズ側バヨネット爪２２ａ，２２ｂ，２２ｃが、レンズ側マウントリング２２の外周方向に沿って、所定の間隔を置いて形成されている。これら各レンズ側バヨネット爪２２ａ，２２ｂ，２２ｃは、レンズ側マウントリング２２の径方向の外向きに突出するように形成されている。
【００６３】
撮像装置１の構成は概略以上の通りである。なお、本発明に直接関係しないことを理由として、説明を省略したその他の構成については、従来の撮像装置における構成と略同様であるものとする。
【００６４】
本実施形態のマウント構造においては、本体側マウントリング１２とレンズ側マウントリング２２とがバヨネット結合する。図４〜図９は、本実施形態のマウント構造において、本体側マウントリングとレンズ側マウントリングとがバヨネット結合している状態を示す図である。このうち、図４は当該マウント構造の結合状態における要部拡大斜視図である。図５は当該マウント構造の結合状態における平面図である。図６は図５の［６］−［６］線に沿う要部拡大断面図である。図７は図５の［７］−［７］線に沿う要部拡大断面図である。図８は図５の［８］−［８］線に沿う要部拡大断面図である。図９は、本実施形態のマウント構造における第１受け部の配置構成を特に説明する平面図である。
【００６５】
本体側マウントリング１２（の本体側バヨネット爪）とレンズ側マウントリング２２（のレンズ側バヨネット爪）とがバヨネット結合しているときには、例えば、図４に示すように、本体側バヨネット爪１２ｃは、光軸Ｏに沿う方向において、レンズ側バヨネット爪２２ｃに対向するように配置される。このとき、本体側バヨネット爪１２ｃの第１受け部１２ｘｃは、レンズ側バヨネット爪２２ｃに接触してこれを受けて支持している。
【００６６】
同様に、図６に示すように、本体側バヨネット爪１２ａは、光軸Ｏに沿う方向において、レンズ側バヨネット爪２２ａに対向するように配置される。このとき、本体側バヨネット爪１２ａの第１受け部１２ｘａは、レンズ側バヨネット爪２２ａに接触してこれを受けて支持している。
【００６７】
また、このとき、本体側バヨネット爪１２ｃの第２受け部１２ｙは、図４，図７，図８に示すように、レンズ側バヨネット爪２２ｃとの間に所定の距離Ｄを有して対向して配置される。つまり、このとき、第２受け部１２ｙとレンズ側バヨネット爪２２ｃと（の両者）は非接触状態にある。
【００６８】
ここで、第２受け部１２ｙは、上述したように、各第１受け部（１２ｘａ，１２ｘｂ，１２ｘｃ，１２ｘｄ）が設けられている部位に比べて、比較的強度の弱い部位となっている。
【００６９】
通常の場合、この状態（本体側マウントリング１２とレンズ側マウントリング２２とがバヨネット結合している状態）にあるときには、レンズ鏡筒２０は第１受け部（１２ｘａ，１２ｘｂ，１２ｘｃ，１２ｘｄ）によって、光軸Ｏが傾かないように支持されている。
【００７０】
しかしながら、同状態にあるとき、当該レンズ鏡筒２０に対して、例えば光軸Ｏを傾かせる方向の意図しない大きな力量が付与されてしまうこともある。この場合、レンズ鏡筒２０が若干傾くようなことがある。
【００７１】
このような場合においても、本実施形態のマウント構造では、第２受け部１２ｙとレンズ側バヨネット爪２２ｃとの両者間に、所定の距離Ｄを設けたので、第２受け部１２ｙとレンズ側マウントリング２２（のレンズ側バヨネット爪）とが接触するようなことはない。したがって、この構成により、第２受け部１２ｙに対してレンズ鏡筒２０の重量負荷がかかることがなく、よって、本体側バヨネット爪のうち比較的強度の弱い部位（第２受け部１２ｙ近傍の本体側バヨネット爪）の変形を抑止することができる。
【００７２】
以上説明したように上記一実施形態によれば、開口１２ｄの縁部に沿って３つの本体側バヨネット爪１２ａ，１２ｂ，１２ｃが形成され、３つの本体側バヨネット爪１２ａ，１２ｂ，１２ｃの各裏面側にはレンズ側（アクセサリ側）バヨネット爪２２ａ，２２ｂ，２２ｃを受けるための第１受け部（１２ｘａ，１２ｘｂ，１２ｘｃ，１２ｘｄ）が形成された本体側マウントリング１２と、本体側マウントリング１２をネジ固定するためのネジ部が設けられ、ネジ部が開口部１１ａ外側の４ケ所で第１仮想四角形Ａを形成するボディ本体１１と、を具備し、本体側マウントリング１２の第１受け部（１２ｘａ，１２ｘｂ，１２ｘｃ，１２ｘｄ）は、各本体側バヨネット爪１２ａ，１２ｂ，１２ｃに少なくとも１つ形成され、全体として第２仮想四角形Ｂを形成する４ケ所に形成され、本体側バヨネット爪１２ａ，１２ｂ，１２ｃがレンズ側バヨネット爪２２ａ，２２ｂ，２２ｃとバヨネット結合した際、第２仮想四角形Ｂは、第１仮想四角形Ａの内側に位置している。
【００７３】
これにより、本体側バヨネット爪１２ａ，１２ｂ，１２ｃがレンズ側バヨネット爪２２ａ，２２ｂ，２２ｃとバヨネット結合した際には、より強度の高い部位にてレンズ鏡筒２０を支持することができる。
【００７４】
また、本体側バヨネット爪１２ａ，１２ｂ，１２ｃがレンズ側バヨネット爪２２ａ，２２ｂ，２２ｃとバヨネット結合した際、本体側バヨネット爪１２ａ，１２ｂ，１２ｃと第１仮想四角形Ａの外側においてレンズ側バヨネット爪２２ａ，２２ｂ，２２ｃとが対向する位置には第２受け部１２ｙが形成されており、本体側バヨネット爪１２ａ，１２ｂ，１２ｃがレンズ側バヨネット爪２２ａ，２２ｂ，２２ｃとバヨネット結合した際、第２受け部１２ｙとレンズ側バヨネット爪２２ａ，２２ｂ，２２ｃとは所定の距離Ｄだけ離れるように構成されている。
【００７５】
したがって、これにより、本体側バヨネット爪とレンズ側バヨネット爪とがバヨネット結合しているときに、レンズ鏡筒２０に対して、例えば光軸Ｏを傾かせる方向の意図しない大きな力量が付与されて、当該レンズ鏡筒２０が若干傾くようなことがあったとしても、第２受け部１２ｙとレンズ側バヨネット爪２２ｃとの間の所定の距離Ｄが設けられていることによって、第２受け部１２ｙとレンズ側マウントリング２２（のレンズ側バヨネット爪）との接触を避けることができる。よって、本体側バヨネット爪のうち比較的強度の弱い部位（具体的には例えば第２受け部１２ｙ近傍の本体側バヨネット爪等）の変形を抑止することができる。
【００７６】
なお、上述の一実施形態の説明においては、バヨネット結合方式のマウント構造を適用した電子機器の一例として撮像装置１を例示している。詳しくは、本実施形態のマウント構造は、撮像装置１における撮像装置本体１０のボディ本体１１の前面に対してレンズ鏡筒２０をバヨネット結合により装着する場合を例示している。
【００７７】
この場合において、撮像装置１における撮像装置本体１０のボディ本体１１の前面に対しては、上述の説明で詳述したレンズ鏡筒２０以外にも、例えばリアコンバーターや接写リング等のアクセサリ機器等を装着することもできる。したがって、この場合におけるリアコンバーターや接写リング等のアクセサリ機器側のマウントリングに対しても、上述のレンズ鏡筒２０のマウントリング２２と同様の形態とすることで、同様に対応することができる。
【００７８】
さらに、これらアクセサリ機器としてのリアコンバーターや接写リング等は、それらの前面側に、通常のレンズ鏡筒をバヨネット結合するマウント構造で結合させる構成とされている。この場合にも、リアコンバーターや接写リング等のアクセサリ機器の前面のマウントリングを、本発明のマウント構造と同様に構成すれば、上述の一実施形態と同様の効果を得ることができる。
【００７９】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【００８０】
１      撮像装置
１０……撮像装置本体
１１……ボディ本体
１１ａ……開口部
１２……本体側マウントリング
１２ａ，１２ｂ，１２ｃ……本体側バヨネット爪
１２ｄ……開口
１２ｈａ，１２ｈｂ，１２ｈｃ，１２ｈｄ……ビス孔
１２ｘａ，１２ｘｂ，１２ｘｃ，１２ｘｄ……第１受け部
１２ｙ……第２受け部
１３ａ，１３ｂ，１３ｃ，１３ｄ……固定用ビス
１４……撮像素子
１５……ロック解除ボタン
１６……シャッターリリースボタン
１７……操作部材
１８……グリップ部
２０……レンズ鏡筒
２１……鏡筒本体
２１ａ……開口部
２２……レンズ側マウントリング
２２ａ，２２ｂ，２２ｃ……レンズ側バヨネット爪
２３……固定用ビス
２４……撮像光学系
１１２……本体側マウント部材
１１２ａ，１１２ｂ，１１２ｃ……本体側バヨネット爪
１１２ｄ……開口
１１２ｈａ，１１２ｈｂ，１１２ｈｃ，１１２ｈｄ……ビス孔
１１２ｘａ，１１２ｘｂ，１１２ｘｃ……受け部
１２２……レンズ側マウント部材
１２２ａ，１２２ｂ，１２２ｃ……レンズ側バヨネット爪
Ａ……第１仮想四角形
Ｂ……第２仮想四角形
Ｄ……所定の距離
Ｏ……光軸
【図１】
2020101612.tif 000003
【図２】
2020101612.tif 000004
【図３】
2020101612.tif 000005
【図４】
2020101612.tif 000006
【図５】
2020101612.tif 000007
【図６】
2020101612.tif 000008
【図７】
2020101612.tif 000009
【図８】
2020101612.tif 000010
【図９】
2020101612.tif 000011
【図１０】
2020101612.tif 000012